(57)【要約】  セルラ無線通信ネットワーク内のアイドルモードにある無線通信端末を精度良く位置決めする。エリア識別子に関連し少なくとも１つのセル(Ｃ１１−Ｃ２３)を含む地域エリア（ＺＬ１−ＺＬ２）に細分化されているセルラ無線通信ネットワーク(ＲＣ)におけるスタンバイにある無線通信端末(Ｔ１−Ｔ４)の位置決め方法である。(ｉ)ローカル無線アクセスポイント（ＦＢ１１２）のエリア識別子を検索するステップ、（ｉｉ）端末(Ｔ１)をそのローカル無線アクセスポイント(ＦＢ１１２)に接続するステップ、（ｉｉｉ）検索されたエリア識別子をもって、ネットワーク（ＲＣ）における地域エリアをアップデートする手順を端末(Ｔ１)が開始して、ネットワークが検索エリア識別子を端末(Ｔ１)に関連づけるステップからなる。
2012507235.tif 000002
【特許請求の範囲】
【請求項１】
エリア識別子を関連し、そして少なくとも1つのセル（Cjk）を含む地域エリア（ZLj）に細分化されたセルラ無線ネットワーク（RC）内のアイドルモードにある無線通信端末（Ti）の位置決めする方法において、
その表面エリアがそれ自体より大きい無線カバーエリアを有する地域エリア（ZLj）のセル（Cjk）内に見いだされ、そしてセルが属する地域エリア（ZLj）のエリア識別子から異なるエリア識別子と関連するローカル無線アクセスポイント（FBjkn）の無線カバーエリアにアイドルモードの無線通信端末が入った時、
該ローカル無線アクセスポイント（FBjkn）のエリア識別子を検索するステップ、
該ローカル無線アクセスポイント（FBjkn）に該端末（Ti）を接続するステップ、そして
該検索されたエリア識別子をもって、該ネットワーク（RC）に関連の地域エリアアップデート手順を端末（Ti）で開始して、該ネットワークが該検索されたエリア識別子を該端末（Ti）に関連づけるステップを含む方法。
【請求項２】
請求項１に記載の方法において、アイドルモードにある端末（Ti）の現在地域エリアアップデート手順は、該端末（Ti）がその地域エリアを変えたときのみ該ネットワークにより自動的に行われる方法。
【請求項３】
請求項１又は２に記載の方法において、ローカル無線アクセスポイント（FBjkn）への端末（Ti）の接続は、受信信号をローカル無線アクセスポイント（FBjkn）にそれぞれ関連するアクセスコードに相互関係づけすることでなされる方法。
【請求項４】
請求項３に記載の方法において、ローカル無線アクセスポイント（FBjkn）への端末（Ti）の接続は、又ローカル無線アクセスポイントにより出射されている信号のパワーを解析しそして最大パワーの信号を出射しているローカル無線アクセスポイント（FBjkn）を選択することによりなされる方法。
【請求項５】
請求項４に記載の方法において、アイドルモードにある端末(Ti)がローカル無線アクセスポイント（FBjkn）の無線カバーエリアに入ったとき、そしてもしセル（Cjk）の無線アクセスポイント（SBjk）にも接続されている端末（Ti）がローカル無線アクセスポイント（FBjkn）により出射された信号のパワーより大きいパワーでその無線アクセスポイント（SBjk）により出射された信号を受信している場合、
該ネットワーク（RC）は該端末（Ti）と該無線アクセスポイント（SBjk）との間の接続をドロップして、該端末（Ti）が該ローカル無線アクセスポイント（FBjkn）により出射されていた信号の間で最大パワーである信号を出射しているローカル無線アクセスポイント（FBjkn）への接続を強制している方法。
【請求項６】
請求項３、４又は５に記載の方法において、該端末（Ti）は受信した無線スペクトルを解析し、そして端末が位置する既知の地域エリア（ZLj）の部分を形成しているセル（Cjk）に見出されるローカル無線アクセスポイント（FBjkn）のそれぞれ関連するアクセスコードに該受信信号を相互関係づけている方法。
【請求項７】
請求項３、４又は５に記載の方法において、該端末（Ti）は受信した無線スペクトルを解析し、そして端末が位置する既知の地域エリア（ZLj）にその関連の地理的位置が含まれているローカル無線アクセスポイント（FBjkn）にそれぞれ関連するアクセスコードに該受信信号を相互関係づけている方法。
【請求項８】
請求項３〜７のいずれかに記載の方法において、端末（Ti）が位置する既知の地域エリア（ZLj）の部分を形成するセル（Cjk）内に見出されるローカル無線アクセスポイント（FBjkn）のアクセスコードがその端末（Ti）に送信されている方法。
【請求項９】
請求項３〜７のいずれかに記載の方法において、該ネットワーク（RC）のセル（Cjk）内に見出される全てのローカル無線アクセスポイント（FBjkn）のアクセスコードが端末（Ti）に送信されている方法。
【請求項１０】
請求項３〜９のいずれかに記載の方法において、一度端末（Ti）の地域エリアアップデート手順が完了すると、該端末（Ti）はそれが接続されているローカル無線アクセスポイント（FBjkn）が見出されるセル（Cjk）の無線アクセスポイント（SBjk）への接続の移行が強制されている方法。
【請求項１１】
請求項１〜１０のいずれかに記載の方法において、該ローカル無線アクセスポイント（FBjkn）から検索されたエリア識別子と関連する地理的位置は該端末（Ti）に関連している方法。
【請求項１２】
エリア識別子に関連しそして少なくとも1つのセル（Cjk）を含む地域エリア（ZLj）に細分化されたセルラ無線通信ネットワーク（RC）においてアイドルモードにある無線通信端末（Ti）を位置決めするシステムにおいて、
その表面エリアがそれ自体より大きい無線カバーエリアを有する地域エリア（ZLj）のセル内に見出され、セルが属する地域エリア（ZLj）のエリア識別子と異なるエリア識別子と関連する、少なくとも1つのローカル無線アクセスポイント（FBjkn）、
無線通信端末（Ti）が該ローカル無線アクセスポイント（FBjkn）の無線カバーエリアに入ったとき、そのローカル無線アクセスポイント（FBjkn）の該エリア識別子を検索し、そしてそのローカル無線アクセスポイント（FBjkn）にその端末（Ti）を接続するよう構成された接続手段（MC）、及び
該検索されたエリア識別子をもって、該ネットワーク（CRC）内の地域エリアアップデート手順を開始して、該ネットワーク（RC）が該検索されたエリア識別子を該端末（Ti）に関連づけているアップデート手段（MM）を含むシステム。
【請求項１３】
請求項１２に記載のシステムにおいて、該接続手段（MC）は、受信した無線スペクトルを解析しそしてローカル無線アクセスポイント（FBjkn）とそれぞれ関連するアクセスコードに該受信した信号を相互関係づけ、端末（Ti）をそれらローカル無線アクセスポイント（FBjkn）の1つに接続しているシステム。
【請求項１４】
請求項１３に記載のシステムにおいて、該接続手段（MC）は、該ローカル無線アクセスポイント（FBjkn）により出射されそして該端末（Ti）により受信された信号のパワーを解析し、最大パワーを有する受信信号を出射しているローカル無線アクセスポイント（FBjkn）に端末（Ti）を接続するよう構成されているシステム。
【請求項１５】
請求項１４に記載のシステムにおいて、該接続手段（MC）は、ローカル無線アクセスポイント（FBjkn）により出射される信号のパワーより大きいパワーでその無線アクセスポイント(SBjk)により出射された信号の該端末（Ti）による受信の後に続いて、端末（Ti）とセル（Cjk）の無線アクセスポイント（SBjk）との間の接続を該ネットワーク（RC）がドロップした場合に、該ローカル無線アクセスポイント（FBjkn）により出射された信号の間で最大パワーである信号を出射しているローカル無線アクセスポイント（FBjkn）に該端末（Ti）を接続するよう構成されているシステム。
【請求項１６】
請求項１３、１４又は１５のいずれかに記載のシステムにおいて、該接続手段（MC）は、受信したスペクトルを解析しそして該端末（Ti）が位置する既知の地域エリア（ZLj）に属するセル（Cjk）内に見出されるローカル無線アクセスポイント（FBjkn）にそれぞれ関連しているアクセスコードに該受信信号を相互関係づけるよう構成されているシステム。
【請求項１７】
請求項１３、１４又は１５のいずれかに記載のシステムにおいて、該接続手段（MC）は受信した無線スペクトルを解析し、そして該端末（Ti）は位置する既知の地域エリア（ZLｊ）におけるセル（Cjk）内にその関連の地理的位置が含まれているローカル無線アクセスポイント（FBjkn）にそれぞれが関連しているアクセスコードに該受信信号を相互関係づけるよう構成されているシステム。
【請求項１８】
その表面エリアがそれ自体より大きい無線カバーエリアを有し、地域識別子に関連しそして無線通信ネットワーク（RC）の部分を形成している地域エリア（ZLj）のセル（Cjk）内のローカル無線アクセスポイントとして働くローカルベースステーション（FBjkn）において、
セル（Cjk）が属する該地域エリア（ZLｊ）のエリア識別子から異なるエリア識別子に関連し、そしてアイドルモードにある無線通信端末（Ti）が該ローカルベースステーションに接続しそして地域エリアアップデート手順がそれ自体のエリア識別子でもって該端末（Ti）に対し該ネットワーク（RC）内で実行されていたときに、該セルの無線アクセスポイント（SBjk）への接続に移行するよう該端末を強制しているローカルベースステーション。
【発明の詳細な説明】
【技術分野】
【０００１】
本発明はセルラ無線通信ネットワークにおける無線通信端末の位置決めに係り、特にアイドルモードにあるネットワーク内の無線通信端末の位置決めに関する。
【背景技術】
【０００２】
地域（又は地理的位置）に依存する緊急呼、情報提供又はリアルタイム広告のような幾つかのアプリケーションは、（無線通信）端末のユーザが位置する地域（地理的位置）を正確に且つ可能な限り頻繁に知ることを必要とする。この地域情報は種々の方法で得られる。即ち、ユーザの端末に組み込まれているサテライト位置決めシステム（例えばGPSシステム）により、その情報は得られる。しかし残念ながら、ほとんどの端末はそのコスト故にそのようなシステムを装備していない。更に、ビル内に位置しているとき、良く機能しなかったり又はまったく働かない。又、このシステムによる地域情報の取得は、比較的遅いことが判明している（特に、当業者が“TIME TO FIRST FIX“と称している長さに起因する）。
【０００３】
そのような情報はWiFiネットワーク内のアクセスポイントによって得られる。WiFiネットワークのカバーエリアは 端末が位置するセルラネットワークのエリアと重なっている。残念ながら、全てが異なるWiFi技術で行い得る地域解決策はまだない。そして、デュアル通信モード（セルラとWiFi）端末の数はそのコスト故に非常に少ない。そのような情報はセルラ（無線通信）ネットワークによっても得られる。セルラネットワークはセル識別子と関連する複数のセルに細分化され、既知の地理的エリアをカバーしている。故に、（端末がアイドルモードでないことを前提として）端末が接続されているセルの識別子に基いて端末の位置を推定することが可能である。端末位置の精度は、（接続モードの端末であるが）それが接続されているセルのサイズに依存している。この精度は三角法技術によりかなり増すことはできる。
【０００４】
もし端末がアイドルモードであると、精度は一般にかなり低下する。これは、精度はアイドルモードにある端末が位置する地域エリアのサイズに依存し、そのエリアを作っているセルの数とそれらセルの寸法に依存するからである。3Gネットワークにおいて、端末がパワーオンされる毎に、端末が位置するセルが属する地域エリアのエリア識別子を検索していることに注意されたい。その検索は、放送制御チャネル（BCCH）においてそのセルにより配布されるメッセージからなされる。そして、そのエリア識別子をネットワークに通知して、ネットワークが該エリア識別子の縁組としてその端末識別子（例えば、IMSIコード）を記憶・格納する（登録手段）。
【０００５】
登録された端末が地域エリアのセルの1つ内に停まるかぎり、端末はネットワークにその移動を報告する必要はない。一方、登録された端末が新しい地域エリア内に入るために地域エリアを離れると直ちに、ネットワークで地域エリアアップデート手順を開始せねばならなく、ネットワークはその端末識別子に関する縁組として記憶されていた古い地域エリアのエリア識別子を、新しい地域エリアのエリア識別子で置き換える。端末がアイドルモードにある時はいつでも、ネットワークから端末について得られる唯一の地域情報は地理的位置であり、その地理的位置は端末識別子に関する縁組としてネットワークにより記憶される地域エリアのエリア識別子と縁組している。地域情報の精度は幾つかのアプリケーションに関し不十分であることが判明されていることに理解されたい。
【発明の概要】
【課題を解決するための手段】
【０００６】
本発明の目的は、上述の状況を改善することにあり、セルラ無線通信ネットワークにおけるアイドルモードの無線通信端末の地域情報精度を向上することにある。
【０００７】
少なくとも１つのセルを含む、エリア識別子に関連する地域エリアに細分化されているセルラ無線通信ネットワーク内のアイドルモードの無線通信端末を位置決めする方法において、その表面エリアがそれ自体より大きい無線カバーエリアを有する地域エリア（ZLj）のセル（Cjk）内に見いだされ、そしてセルが属する地域エリア（ZLj）のエリア識別子から異なるエリア識別子と関連するローカル無線アクセスポイント（FBjkn）の無線カバーエリアにアイドルモードの無線通信端末が入った時、そのローカル無線アクセスポイントのエリア識別子を検索するステップ、そのローカル無線アクセスポイントにその端末を接続するステップ、そして、検索されたエリア識別子をもって、ネットワークに関連のローカルエリアアップデート手順を端末が開始し、ネットワークが端末を検索されたエリア識別子に関連づける（その検索されたエリア識別子は、丁度接続されたローカル無線アクセスポイントの既知の地理的位置に対応している）ステップからなる方法である。
【０００８】
本発明の方法は、別個に採用される又は組み合わせにおける次の他の特徴を含む。
アイドルモードにおける移動端末の現在地域エリアアップデート手順は、移動端末がその地域エリアを変えたときのみ自動的にネットワーク（例えばそのコアネットワーク）により行われる。
ローカル無線アクセスポイントへの端末の接続は、ローカル無線アクセスポイントとそれぞれ関連するアクセスコードと受信信号を相互関係づけることでなされる。
【０００９】
ローカル無線アクセスポイントへの端末の接続は、ローカル無線アクセスポイントにより出射される信号のパワーを解析しそして最も大きいパワーを出射するローカル無線アクセスポイントを選択することによりなされる。
アイドルモードにおける端末がローカル無線アクセスポイントの無線カバーエリアに入ったとき、そしてもしセルの無線アクセスポイント（又はベースステーション）に接続されているその端末が複数のローカル無線アクセスポイントにより出射される信号のパワーより大きいパワーで無線アクセスポイントにより出射される信号を受信しているならば、ネットワークは端末とその無線アクセスポイントとの間の接続をドロップして、複数のローカル無線アクセスポイントにより出射されている複数の信号の間で最も大きいパワーである信号を出射するローカル無線アクセスポイントへの端末の接続を強制する。
【００１０】
端末は、受信した無線スペクトルを解析して受信した複数の信号を複数のアクセスコードと相互関係づけ、それらアクセスコードは端末が位置する既知の地域エリアの部分を形成している複数のセル内に見出される複数のローカル無線アクセスポイントにそれぞれ関連している。
代わりに、端末は受信した無線スペクトルを解析して、受信した複数の信号を複数のアクセスコードに相互関係づけ、それら複数のアクセスコードは端末が位置する既知の地域エリア内にその関連の地理的信号が含まれている複数のローカル無線アクセスポイントにそれぞれ関連している。
端末が位置する既知の地域エリアの部分を形成しているセル内に見出される複数のローカル無線アクセスポイントのアクセスコードは、その端末に送信される。
代わりに、ネットワークの複数のセル内に見出される全てのローカル無線アクセスポイントのアクセスコードは、端末に送信される。
一旦端末の地域エリアアップデート手順が完成すると、その端末が接続されているローカル無線アクセスポイントが見出されるセルの無線アクセスポイントへの端末の接続の移行が強制される。
【００１１】
本発明は、エリア識別子に関連する地域エリアに細分化されそして少なくとも1つのセルを含むセルラ無線通信ネットワークにおける無線通信端末を位置決めするシステムを提案する。該システムは次の特徴事項からなる。
-地域エリアのセル内に見出される無線カバーエリアを有する少なくとも1つのローカル無線アクセスポイントであって、その無線カバーエリアの表面エリアはそれ自体より大きくそしてセルが属する地域エリアのエリア識別子とは異なるエリア識別子と関連している無線アクセスポイント、
アイドルモードにおける無線通信端末がローカル無線アクセスポイントの無線カバーエリアに入るとき、そのローカル無線アクセスポイントのエリア識別子を検索しそしてその端末をローカル無線アクセスポイントに接続する作業をする接続手段、及び
その端末内で、ネットワーク内で検索されたエリア識別子をもって、ローカルエリアアップデート手順を開始し、ネットワークが検索されたエリア識別子にその端末を関連づける作業をするアップデート手段。
【００１２】
本発明のシステムは、別個に採用され又は組み合わされる次の他の特徴からなる。
その接続手段は、受信された無線スペクトルを解析し複数のローカル無線アクセスポイントにそれぞれ関連するアクセスコードと受信された信号を相互関係づけ、端末をそれらローカル無線アクセスポイントの1つに接続している。
その接続手段は、ローカル無線アクセスポイントにより出射され端末により受信された信号のパワーを解析し、そして最大パワーを有する受信信号を出射しているローカル無線アクセスポイントへその端末を接続している。
その接続手段は、複数のローカル無線アクセスポイントより出射されている信号のパワーより大きいパワーで無線アクセスポイントにより出射されている信号を端末が受信した後に続いて、端末とセルの無線アクセスポイントとの間の接続をドロップする場合に、ローカル無線アクセスポイントにより出射される信号の間で最大パワーである信号を出射するローカル無線アクセスポイントへ端末を接続する。
その接続手段は、受信した無線スペクトルを解析し、そして端末に位置する既知の地域エリアに属するセル内に見出されるローカル無線アクセスポイントとそれぞれ関連するアクセスコードと受信信号を相互関係づける。
代わりに、その接続手段は、受信した無線スペクトルを解析し、そして端末が位置する既知の地域エリア内にその関連の地理的位置が含まれるローカル無線アクセスポイントにそれぞれ関連するアクセスコードに受信信号を相互関係づける。
【００１３】
本発明は無線ネットワーク制御装置に関係し、（ｉ）無線ネットワークの部分を形成することを意図し、（ｉｉ）少なくとも１つのローカル無線アクセスポイントがあるネットワークのセルの少なくとも１つの無線アクセスポイントを制御することができ、そして（ｉｉｉ）（セルの無線アクセスポイントに接続されアイドルモードにある）無線通信端末が、ローカル無線アクセスポイントの無線カバーエリア内に入ったとき、そしてローカル無線アクセスポイントにより出射されている複数の信号のパワーより大きいパワーで無線アクセスポイントにより出射される信号を端末が受信した場合に、端末と無線アクセスポイントとの間の接続をドロップしてその端末のローカル無線アクセスポイントへの接続を強制するよう構成されている。
本発明はローカルベースステーションに関係し、第1に地域エリアのセル内のローカル無線アクセスポイント（それは、その表面エリアがそれ自体より大きく、エリア識別子に関連しそして無線通信ネットワークの部分形成している無線カバーエリアを有している）として機能し、第２にそのセルが属する地域エリアのエリア識別子から異なるエリア識別子に関連づけられ、そして第３にアイドルモードの無線端末が接続しそして地域エリアアップデート手順がそれ自体のエリア識別子でもって端末に関しネットワーク内で行われていた時、そのセルの無線アクセスポイントへの端末の接続を強制するよう構成されている。
【図面の簡単な説明】
【００１４】
【図１】本発明の実施例による２つの地域エリアと地域システムからなるセルら無線ネットワークを模式的に示す図である。
【図２】本発明の実施例による移動端末を位置決めする手順の際に、ネットワークと移動端末との間で交換される主なメッセージを示す図である。
【発明を実施するための形態】
【００１５】
本発明の目的は、セルラー無線通信ネットワークにおいてアイドルモードの無線通信端末の精度良い位置決めを行うことにある。以下、限定されない実施例として、セルラー無線通信ネットワーク（RC）が、例えばUMTS若しくはCDMA2000ネットワーク等、3Gネットワークを示す。本発明は実施可能なネットワークはいずれのタイプにも適用し得る。
さらに、以下の説明は、無線通信ネットワーク端末（Ti）は携帯（若しくはセルラー）電話の非限定の例によってなされている。しかしながら、携帯ユーザによって移動または運ばれる、いずれのタイプの無線通信端末、特に可搬型コンピュータ、および、無線リンク（例えば3Gリンク）を介して通信可能なパーソナルデジタルアシスタンス（若しくはPDA）に適用可能である。
【００１６】
図１は、セルラーネットワークRCの１つの例を模式的に示す。このタイプのセルラーネットワークRCは、非常に模式的であるが、本発明の理解に十分であり、無線アクセスネットワークRARに結合されたコアネットワークCRとして要約される。無線アクセスネットワークRARは第１に、そのネットワークがUMTSであるならRNC（Radio Network Controller）と称されもしそのネットワークがGSM又はGPRSならBSC（”Base Station Controller”）と称される、コアネットワークCRにインターフェース（luと称される）を介して結合されるノード（無線ネットワークコントローラ）NCを含む。それは又無線アクセスポイント又は（送／受信）ベースステーションSBjkを含み、それらは先ず第一に無線カバーエリアを有する少なくとも1つのセルCjkと各々が関連しており、第２に前述のＮＣノードの1つに論理インターフェース（Lubと称する）を介して結合された単独又はグループである。これらのベースステーションSBjkは、そのネットワークがUMTSならNode Bと称され、そのネットワークがGSM（又はGPRS）ならBTSと称される。
【００１７】
無線アクセスネットワークRARは又、地域エリアZLjにサブ分割され、ZLjの各々は少なくとも1つのセルCjkのセットを含み、個有なエリア識別子又はLAC（”Location Area Code“）IZjと各々が関連している。図１に例示のものにおいて、セルラーネットワークＲＣは、２つの地域エリアZL1とZL2（ｊ＝１又は２）からなる。第１の地域エリアZL1は２つのセルC11とC12（ｊ＝１及びｋ＝１又は２）を含み、それらのセル双方は地域エリアZL1のエリア識別子IZ１と関連し、それぞれのベースステーションSB11とSB12は、それぞれの放送チャネルBCCH上でエリア識別子ＩＺ１を放送（同報）している。第２の位置エリアZL2はセルC21、C22及びC23（ｊ＝２及びｋ＝１〜３）を含み、それらセルの全ては地域エリアZL2のエリア識別子IZ2と関連し、それぞれのベータステーションSB21，SB22及びSB23はそれぞれの放送チャネルBCCH上にエリア識別子IZ2を放送している。
【００１８】
本発明は、無線アクセスネットワークRARのセルCjkの少なくとも幾つか及びもし可能ならそれらの全てにおいて、オープンアクセスを有するローカル無線アクセスポイントFBjknを備えることを提言し、それらポイントFBjknは前述のノードNC（無線ネットワークコントローラBSC又はRNC）に結合されて各々がそのセルCjkのベータステーションSBjkより小さい無線カバーエリアを有する。これらのローカル無線アクセスポイントFBjknはしばしばフェムトBTSと称され、フェムトセルを構成している（その場合、ポイントはフェムトセルと称されるサブセルに関連し、マクロセルと称されるセルのサブ部分を構成している）。図１において、図の簡略化のため、２つのフェムトセルFCだけが示されている。
【００１９】
各ローカル無線アクセスポイントFBjknは、そのオープンアクセスの理由で端末に関しベースステーション（又は無線アクセスポイント）SBjkに類似なネットワーク装置を構成しており、それ故ネットワークRCへのアクセスを可能にしている。尚、従来のフェムトBTSは、ユーザが限定された所定数に制限されていることを意味するホームアクセスを提供するよう通常は設計されている。その結果、ローカル無線アクセスポイントFBjknの各々は放送制御チャネル（BCCH）を有し、そのチャネルはネットワークRCに接続するため又は進行中の通信を続けるため端末Tiに役立つ情報をその（フェムト）無線カバーエリア内で放送することを可能にする。しかし、地域エリアZLjのエリア識別子IZjに関連しその（マクロ）無線カバーエリア内にエリア識別子IZjを放送しているベースステーションSBjkのようではなく、ローカル無線アクセスポイントFBjknはエリア識別子IZ’jknに関連し、そのIZ’jknは地域エリアZLjのエリア識別子IZjと同一タイプであるがその隣接の地域エリアZLj’（j’＝／j）のそれから異なっている。その結果、本発明によると、ローカル無線アクセスポイントFBjknはエリア識別子IZ’jknをその放送制御チャネル（BCCH）で放送し、IZ’jknは個有的に地域エリアZLjと関連してはいるがその識別子そのものではない。
【００２０】
ローカル無線アクセスポイントFBjknの地理的位置がネットワークRCに完全に知られていることは重要である。従って、ローカル無線アクセスポイントFBjknに個有に関連しているエリア識別子IZ’ｊknが知られているときは、ローカル無線アクセスポイントFBjknの対応する地理的位置がネットワークRC内で決定され得る。その結果、端末Ti（アイドルモードにおける）がセルCjk内に位置しそしてセルCjkが属する地域エリアZLjのエリア識別子IZjをその端末に与えることでネットワークRCで既に登録されているときは、それからセルCjkのローカル無線アクセスポイントFBjknの無線カバーエリア内にその端末が置かれているときは、ローカル無線アクセスポイントFBjknのエリア識別子IZ'jknを端末は検索（受信）することができる。
【００２１】
端末Tiは接続手段MCからなり、MCは特に無線アクセスネットワークRARの装置により発射される無線信号を受信する受信手段であって、その受信無線信号（ラジオスペクトル）を解析しそして復調信号内の情報を検索する受信手段からなる。その情報にはローカル無線アクセスポイントFBjknのエリア識別子IZ’jknが含まれる。検索されたエリア識別子IZ’jknは、端末Tiが位置している（その端末識別子例えばIMSIが登録の際にネットワークRCに前もって関連づけられていた）地域エリアZLjの識別子IZjとは異なっているとき、その端末Tiはローカル無線アクセスポイントFBjknに（その接続手段MCによって）接続されるよう強制され、アップデート手段MMを付勢する。MMは、検索されたエリア識別子IZ’jknでもってネットワークRCにおいて”従来の”地域エリアアップデート手順（”Location Area Code Update”（又はLAC__Update）−標準化3GPP手順）を開始する。アップデート手順の際、ネットワークRCは、端末Tiに今迄関連づけられていた地域エリアZLjのエリア識別子IZjを端末Tiにより新しく検索されたエリア識別子IZ”jknで置き換える。
【００２２】
従って、端末Tiの識別子（例えばIMSI）がローカル無線アクセスポイントFBjknのエリア識別子IZ”jknとの縁組としてネットワークRCに一度登録されると、端末Tiの地理的位置を非常に限定された誤り範囲で知ることが可能である。その理由は、エラーの範囲（マージン）はローカル無線アクセスポイントFBjknの無線カバーエリアの”半径”（概略的に述べると、セルCjkの無線カバーが円に近似していると仮定して）よりも大きくはないからである。
【００２３】
3GネットワークRCにあって、登録された端末Tiの識別子（例えばIMSI）は一般的にGMLC（“Gateway Mobile Location  Centre”）GMとして知られるコアネットワークCRの装置内に又はHLR（“Home Location Register”）と称されるクライアント情報データベースHV（特に位置情報）にエリア識別子IZjとの縁組として蓄積される。通常の地域エリアアップデート手順と同じく、その登録は例えばMSC／VLR（”Mobile Swiching Center/Visited Location Register”）と称される少なくとも１つのノード（又は装置）のようなコアネットワークCRの幾つかの他のネットワーク装置が係る。
【００２４】
図２は、端末Tiを位置決めする手順の際における前述のネットワーク装置（SBjk，FBjkn，SGSN、HV及びGMLC）と端末Tiとの間交換される主なメッセージを示す。ここで、アイドルモードにある端末T1はネットワークRCの第一の地域エリアZL1のセルC11内に位置し、その第一の地域エリアZL1のエリア識別子IZ1と関係しているネットワークに既に登録されていると仮定されている。従って端末T1の識別子IMSIは、装置GMLC（ここではGMを意味）におけるエリア識別子IZ1に関する縁組として記憶されている。又、端末T1は第一のセルC11の第２のローカル無線アクセスポイントFB12の（フェムト）無線カバーエリアに丁度入ったところであり、故に第一のセルC11のベースステーションSB11の放送制御チャネル（矢印Ｆ１）と第２のローカル無線アクセスポイントFB112の放送制御チャネル（矢印Ｆ２）の双方を受信していると仮定されている。従って、第２のローカル無線アクセスポイントFB112がその放送制御チャネル（矢印Ｆ２）上で放送しているエリア識別子IZ’112を検索できる。
【００２５】
先に示したように、端末T1は、特に受信された無線信号からエリア識別子IZ112を検索しながら作業が課せられる接続手段ＭＣを含む。これらの接続手段MCはこのエリア識別子IZ’112がそれらの端末T1が関連するその（IZ1）でないことを通知するから、接続手段MCはそれらの端末T1を第２のローカル無線アクセスポイントFB112（矢印Ｆ３）に接続する。端末T1と第２のローカル無線アクセスポイントFB112との間に一度接続が設定されてしまうと、検索されたエリア識別子IZ’112をもってネットワークRC内の地域エリアアップデート手順をアップデート手段ＭＭが開始し、ネットワークRCの他の（補足的）アップデート手段ＭＭは端末T1にその検索されたエリア識別子を関連づける。これらの他のアップデート手段ＭＭは、ネットワークRCにより端末T1に関連づけられていた地域エリアZL1のエリア識別子IZ1をエリア識別子IZ’112で置換するよう作業することを理解されたい。
【００２６】
図１で特に例示したように、もう一方のアップデート手段MMは、ローカル無線アクセスポイントFBjkn、ベースステーションSBjk、無線ネットワーク制御器NC、装置（ノード）MSC／VLR及び（HLR）データベースHV内に分散されている。ローカル無線アクセスポイントFBjkn、アップデート手段MM及び接続手段ＭＣは、本発明の１つの実施例では地域システムを共になって構成していることに注意されたい。当業者に周知のように、アップデート手順はそれがCSドメインに関係しているときに５つの連続した部分で続行される。このアップデート手順は特に標準化されていることに注意されたい。例えば、それは、”La mise a’jour de Location Area dans le domaine  CS”に関係する、Pierre Lescuyer,第2版、Edition Dunod、特にセクション8，2，2による著作“UMTS  Les  origines、 I’architecture、,La norme”に記述されている。
【００２７】
少なくとも１つの地域エリアがノード（又は装置）MSC／VLRと関連していることを念頭におかれたい。ローカル無線アクセスポイントFBjknのエリア識別子はローカル無線アクセスポイントFBjknを含む地域エリアZLjのエリア識別子から異なるから、そのアクセスポイント及びその地域エリアZLjは単一のMSC／VLR装置に又は異なる幾つかのMSC／VLR装置のいずれかに割り当てられ得る。以下において、ローカル無線アクセスポイントFBjknとその地域エリアZLjは異なる幾つかのMSC／VLRに割り当てられていると仮定されている。
【００２８】
この非制限的シナリオにおいて、アップデート手段の第一の部分（矢印Ｆ４）は端末T1から（新しい）ノードMSC／VLRへの”LAC Update（TLLI）”メッセージのようなアップデートメッセージの送信からなる。その新しいノードと、第2のローカル無線アクセスポイントFB112は(第2のローカル無線アクセスポイントFB112，ベースステーションSB11及びベースステーションSB11が結合された無線ネットワーク制御器NCを介して)関連している。TLLIは”一時論理リンク識別子”を表し、信号化アドレスを指定している。
【００２９】
アップデート手順の第２の部分（矢印Ｆ５）は、その新しいノードMSC／VLRとの間のアップデートメッセージを安全に交換することからなり、その結果新しいノードMSC／VLRは端末T1についての情報を検索し得そして古いノードMSC／VLRは端末T1に関係する登録を削除し得る。
【００３０】
アップデート手順の第３の部分（矢印Ｆ６）は新しいエリア識別子IZ”112でデータベースHV（HLR）をアップデートすることからなる。例えば、これは新しいノードMSC／VLRと（HLR）データベースHVとの間で”LAC Update（IMSF、IZ’112）”のようなアップデートメッセージを送信することで行われる。新しいノードMSC/VLRは例えば、第２のローカル無線アクセスポイントFB112のアクセスポイント識別子（Femto Ｃell Id）に対応するエリア識別子IZ’112と同様端末T1のTTLIに対応する識別子IMSIを決定するよう構成されることを理解されたい。特に、そうするためにルックアップテーブルを有する。第４の部分（矢印Ｆ７）は、開始された地域エリアアップデート手順の成功を通知するよう意図されたアップデートメッセージを新しいノードMSC／VLRから端末T1に送信することからなる。
【００３１】
第５の部分（矢印Ｆ８とＦ９）は、端末T1とベースステーションSB11との間に設定されていた（RRC）接続を解放することからなる。そうするため、新しいノードMSC／VLRは無線サブシステム（又はRNS ；“Radio Network Sub-system”）へ例えばベースステーションSB11を制御している無線ネットワーク制御器ＮＣへメッセージを送信して（矢印Ｆ８），端末T1が別な無線アクセスポイント（ここでは、第２のローカル無線アクセスポイントFB112）に割り当てられていたのでそれに接続を解放するよう命令し、それから無線ネットワーク制御器NCは例えばベースステーションSB11へメッセージを送信し（矢印Ｆ９）、端末T1に対し設定されていた接続を解放するよう命令する。
【００３２】
（HLR）データベースＨＶはアップデートされてきているが、もし認可（権限）あるアプリケーション（又は認可あるアプリケーションサーバに）より尋問されていたら、データベースＨＶは第２のローカル無線アクセスポイントFB112のアクセスポイント識別子（フェムトセルID）に対応した端末T1の地理的位置を送り戻す。例えば、これを行うために、それは地理的位置とアクセスポイント識別子とを縁組付けているルックアップテーブルを有することができる。
【００３３】
今、端末T1（アイドルモードの）がそのセルCjkのベースステーションSBjkに既に割り当てられているとき、端末T1がセルCjkのローカル無線アクセスポイントFBijkへの接続をいかに進めるかについて、詳細が延べられるであろう。セルCjk内に位置しそのセルCjkのベースステーションSBjkに割り当てられている端末TiがセルCjkのローカル無線アクセスポイントFBjknへの接続することが可能となるためには、そのローカル無線アクセスポイントFBjknの放送制御チャネルを出射している周波数に対し聴取することができなければならない。それ故、単一セルCjk内において、ベースステーションSBjkと種々のローカル無線アクセスポイントFBjknは同じ周波数上でそれらの放送制御チャネルを出射している。又、端末Tiは、もしネットワークがそれぞれが複数のローカル無線アクセスポイントFBjknに関連している複数のUMTSであるとすると、CDMAのようなアクセスコードを有することが必要である。従って、接続手段MCの一部を形成している受信用の端末Tiの手段はローカル無線アクセスポイントFBjknの出射周波数上で受信した無線スペクトルを走査できる。それは、受信した信号をそれら信号の有する種々のアクセスコード（ここではCDMA）に対し相互関係づけながら行われる。
【００３４】
その無線スペクトル走査に関し、端末Tiは複数のローカル無線アクセスポイントFBjknにそれぞれ関連している複数のアクセスコードのみを、使用し得る。その複数のローカル無線アクセスポイントFBjknは、それが位置している既知の地域エリアZLjの一部又はその時点で位置しているセルCjkの一部を構成している種々のセルCjkにおいて見出されるものである。それを行うため、ネットワークRCは複数のローカル無線アクセスポイントFBjknのアクセスコードを登録されている複数の端末Tiに送信する。その複数のローカル無線アクセスポイントFBjknは、それらが位置する既知の複数の地域エリアZLjの一部を構成している複数のセルCjkにおいて見出されるものである。各セルCjkのベースステーションSBjkは、そのセルCjkの少なくともアクセスポイントのアクセスコードについて無線一放送の作業をする。
【００３５】
1つの変形において、無線スペクトル走査に関し、端末Tiは複数のローカル無線アクセスポイントFBjknとそれぞれ関連する複数のアクセスコードのみを使用している。それらローカル無線アクセスポイントFBjknの関連地理的位置はそれが位置する既知の地域エリアZLj又はその時点で位置するセルCjkにでも含まれている。そうするために、ネットワークRCは登録されている端末Tiに複数のローカル無線アクセスポイントFBjknのアクセスコードを送信する。それらローカル無線アクセスポイントFBjknの地理的位置は、それぞれが位置している既知の地域エリアZLjに含まれているものである。各地域エリアZLjのベースステーションSBjkは、それらの地域エリアZLjのアクセスポイントのアクセスコードの無線一放送の作業をする。
【００３６】
１つの変形において、端末Tiはそれが割り当てられているネットワークRCのセルCjkに見出されるところのローカル無線アクセスポイントFBjknの全てのアクセスコードを記憶している。これらのアクセスコードは、ネットワークRCのベースステーションSBjkにより端末に送信される。もしそうであるなら、端末Ti（アイドルモードの）はそれが位置する地域エリアZLjにおいて見出される無線アクセスポイントに対応するアクセスコードを、記憶のアクセスコードの全ての中から選択するであろう。このことは、端末Tiは関連のローカル無線アクセスポイントFBjknが見出される地域エリアZLjのエリア識別子IZjに関する縁組としてアクセスコードを記憶していなければならないことを意味する。
【００３７】
端末Tiをローカル無線アクセスポイントFBjknに接続する相（フェーズ）は、アクセスコードの走査に加えて、更に複数のローカル無線アクセスポイントFBjknにより出射される信号のパワーの解析を行うことを含む。この解析は、最大のパワーを有する端末Tiにより受信された信号を出射するローカル無線アクセスポイントFBjknを選択することを意図されている。これらの最大パワー信号は、関心の端末Tiに最も近いローカル無線アクセスポイントにより出射されているものと仮定され、そしてそれ故に最小の誤差マージンでもって端末Tiの地理的位置を示すことを可能とする。
【００３８】
幾つかのケースにおいて、セルCjkの無線アクセスポイント（又はベースステーション）SBjkに割り当てられている端末（アイドルモードの）Tiは、複数のローカル無線アクセスポイントFBjknにより出射されている信号のパワーより大きいパワーで無線アクセスポイントSBjkにより出射されている信号を受信し得ることに注意することが重要である。従来の動作モードにおいて、端末TiはそのベースステーションSBjkに割り当て続けられるのが一般である。その理由は、それが最大パワーを与えるものだからである。従って、そのような状態にあって、本発明は実施されえなかったであろう。その欠点を直すため、ネットワークRC（そしてより詳細にはその無線アクセスネットワークRAR）は、端末Tiとそれの割り当て無線アクセスポイントSBjkとの間の接続をドロップし得る。このドロッピングは、端末Tiの割り当て無線アクセスポイントSBjkを制御している無線ネットワーク制御器NCの要求で行われる。
【００３９】
ネットワークのRCは、無線アクセスポイントSBjkに割り当てられ接続モードにある端末Tiと無線アクセスポイントSBjkに割り当てられアイドルモードにある端末Tiとの間における相違を話すことはできないことに注意すべきである。従って、接続又は無線リンクのドロップは、無線アクセスポイントSBjkの地理的または理論的無線カバー範囲内に入る端末Tiの全てに関して要求される。無線ネットワーク制御器RCにより与えられるべき（トリガされるべき）接続ドロップ命令のために、ネットワークRCはローカル無線アクセスポイントFBjknのカバーエリアFCへの端末Tiの入りを知らねばならない。この目的のため、そしてもし端末Tiが正確に位置決めされ得ないとすると、必ずしも排他的でない2つのメカニズムが使用され得る。
【００４０】
第1のメカニズムは記憶されているアクセスコードを用いることからなる。この記憶されているアクセスコードは、端末Tiの現在の地域エリアZLjに対応しそしてそれからその地域エリアZLjのローカル無線アクセスポイントFBjknの全てに関連する複数のアクセスコードが導かれるものであり、ローカル無線アクセスポイント（アクセスコードに対応するもの）から発せられたと思われる受信された無線信号を走査するため、そのアクセスコードを用いる。もしこれらローカル無線アクセスポイントFBjknの1つからの信号の受信が所与の閾値を越えているとすると、そしてもし（ローカルメモリーに保存されている）ローカル無線アクセスポイントFBjknの存在ログが少なくとも１つ前の存在を示すと、端末Tiのユーザが該ローカル無線アクセスポイントFBjknが見出されている地域(又はエリア）に入ったと統計的に推定されるだろう。この考察は、端末Tiが割り当てなければならないローカル無線アクセスポイントFBjknを導出するために、既知のプロファイリングメカニズムと相互関係づけされ得る（例えば、端末Tiのユーザのプロファイルを保存して、それを地域（又はエリア）においてユーザが有すると思われる関心事と相互関係づける）。
【００４１】
第2のメカニズムは、端末Tiのサテライト地域機能（例えば、GPS機能）を用い、その位置と速度ベクトルを決定（推定）し、その位置と速度ベクトルに依存して端末Tiがローカル無線アクセスポイントFBjknのカバーエリアに入ったかどうかを予測する。一度端末Tiがローカル無線アクセスポイントFBjknに割り当てられると、ローカル無線アクセスポイントFBjknが見出されるセルCjkの無線アクセスポイントSBjkとのその接続はドロップされる。このドロップはその無線ネットワーク制御器NCの命令で無線アクセスポイントSBjkにより行われる。
【００４２】
更に、ローカル無線アクセスポイントFBjknへの接続（割当て自体）の直後に、ローカル無線アクセスポイントFBjknよりもパワーが大きいことに起因してセルCjkのベースステーションSBjkへの端末Tiの再接続を防ぐために、端末Tiが選択時間期間だけ及び/又は単一の最大パワー閾値に依存してこの方法で再接続することを禁ずる一種の“ヒステリシス”メカニズムが設定する（例えば、少なくとも２秒間の、地域エリアアップデート手順を十分完成させることを可能にする十分な長さ）。
【００４３】
又、一度端末Tiの地域エリアアップデート手順が完成されると、丁度接続された（割当て自体）ローカル無線アクセスポイントFBjknが見出されるセルCjkの無線アクセスポイントSBjkへの接続の移行を端末Tiに強制することが考え得る。そうするために、ローカル無線アクセスポイントFBjknは端末Tiにメッセージを送信し、端末をその時点で位置するセルCjkの無線アクセスポイントSBjkに割り当てるためそこから接続を切り離すよう端末に命令する。この接続の終了（end-of-connection）メッセージは、数秒間程続く時間遅延が満了した後に、ローカル無線アクセスポイントFBjknにより端末Tiに向けられる。この強制移行はローカル無線アクセスポイントFBjknを素早くアンロードするために意味があるが、接続容量がずっと大きいベースステーションSBjkのようではなく、典型的には５より少ない幾つかの接続のみを一般にはサポートできるだけなので、意味があるのである。
【００４４】
更に、無線信号でベースステーションSBjkをローカル無線アクセスポイントFBjknが汚染されないようにするため、このローカル無線アクセスポイントFBjknは格納・記憶の入力及び/又は出口の方向のような選択した方向を指す指向性アンテナを装備することが考え得る。本発明に従う接続手段MC及び/又はアップデート手段MMは、電気回路、ソフトウェア（コンピュータ）モジュール、又は回路とソフトウェアの組み合わせで構成され得る。接続手段MCは、標準化された1つ又は複数のソフトウェアモジュールで構築され得る。
【００４５】
本発明は、例示してきた地域システムと方法、ローカル無線アクセスポイント、及び無線ネットワーク制御器に限定されず、請求の範囲で特定されると当業者が理解する全ての変形を包含するものである。
【図１】
2012507235.tif 000003
【図２】
2012507235.tif 000004
【国際調査報告】
2012507235.tif 000005
2012507235.tif 000006
2012507235.tif 000007
2012507235.tif 000008
2012507235.tif 000009
2012507235.tif 000010